【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
シート状の部材である基材の一方の面側に、前記基材に沿って並列される、光を透過可能な部位を形成する工程と、
形成された前記光を透過可能な部位間に、光を吸収可能な部位である光吸収部を形成する工程と、
前記光を透過可能な部位及び前記光吸収部が形成された後に、前記基材の他方の面側に粘着剤を直接塗工する工程と、を含む、
光学シートの製造方法。
【請求項２】
シート状の部材である基材の一方の面側に、前記基材に沿って並列される、光を透過可能に部位を形成する工程と、
形成された前記光を透過可能な部位間に、光を吸収可能な部位である光吸収部を形成する工程と、
前記光を透過可能な部位及び前記光吸収部が形成された後に、前記基材の他方の面側に粘着剤を直接塗工する工程と、を含む方法で光学シートを製造し、
製造された前記光学シートをプラズマディスプレイパネルより観察者側に配置する工程を含む、
表示装置の製造方法。
【請求項３】
シート状の部材である基材の一方の面側に、前記基材に沿って並列される、光を透過可能な部位を形成する工程と、
形成された前記光を透過可能な部位間に、光を吸収可能な部位である光吸収部を形成する工程と、
前記光を透過可能な部位及び前記光吸収部が形成された後に、前記基材の他方の面側に粘着剤を直接塗工する工程と、を含む方法で光学シートを製造し、
製造された前記光学シートの前記粘着剤をプラズマディスプレイパネルに貼付して前記光学シートを前記プラズマディスプレイパネルに直接貼付する工程を有する表示装置の製造方法。
【手続補正２】
【補正対象書類名】明細書
【補正対象項目名】発明の名称
【補正方法】変更
【補正の内容】
【発明の名称】光学シートの製造方法及び表示装置の製造方法
【手続補正３】
【補正対象書類名】明細書
【補正対象項目名】０００１
【補正方法】変更
【補正の内容】
【０００１】
本発明は、映像光源より観察者側に配置されて映像光や外光を適切に制御することができる光学シートの製造方法、及び表示装置の製造方法に関し、詳しくは生産性に優れる光学シートの製造方法及び表示装置の製造方法に関する。
【手続補正４】
【補正対象書類名】明細書
【補正対象項目名】００１０
【補正方法】変更
【補正の内容】
【００１０】
このような問題点に鑑み、本発明は光学的な性能は維持しつつ生産性に優れた光学シートの製造方法、及び表示装置の製造方法を提供することを課題とする。
【手続補正５】
【補正対象書類名】明細書
【補正対象項目名】００１２
【補正方法】変更
【補正の内容】
【００１２】
請求項１に記載の発明は、シート状の部材である基材の一方の面側に、基材に沿って並列される、光を透過可能な部位（１２、１２、…）を形成する工程（Ｓ１４）と、形成された光を透過可能な部位間に、光を吸収可能な部位である光吸収部（１３、１３、…）を形成する工程（Ｓ１５）と、光を透過可能な部位及び光吸収部が形成された後に、基材の他方の面側に粘着剤を直接塗工する工程（Ｓ１１）と、を含む、光学シートの製造方法である。
【手続補正６】
【補正対象書類名】明細書
【補正対象項目名】００１３
【補正方法】変更
【補正の内容】
【００１３】
請求項２に記載の発明は、シート状の部材である基材の一方の面側に、基材に沿って並列される、光を透過可能な部位（１２、１２、…）を形成する工程（Ｓ１４）と、形成された光を透過可能な部位間に、光を吸収可能な部位である光吸収部（１３、１３、…）を形成する工程（Ｓ１５）と、光を透過可能な部位及び光吸収部が形成された後に、基材の他方の面側に粘着剤を直接塗工する工程（Ｓ１１）と、を含む方法で光学シート（１０）を製造し、製造された光学シートをプラズマディスプレイパネル（２）より観察者側に配置する工程を含む、表示装置の製造方法である。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項３に記載の発明は、シート状の部材である基材の一方の面側に、基材に沿って並列される、光を透過可能な部位（１２、１２、…）を形成する工程（Ｓ１４）と、形成された光を透過可能な部位間に、光を吸収可能な部位である光吸収部（１３、１３、…）を形成する工程（Ｓ１５）と、光を透過可能な部位及び光吸収部が形成された後に、基材の他方の面側に粘着剤を直接塗工する工程（Ｓ１１）と、を含む方法で光学シート（１０）を製造し、製造された光学シートの粘着剤をプラズマディスプレイパネルに貼付して光学シートをプラズマディスプレイパネルに直接貼付する工程を有する表示装置の製造方法である。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２９
【補正方法】変更
【補正の内容】
【００２９】
図１は第一実施形態にかかる本発明の製造方法により製造された光学シート１０の断面を示し、その層構成を模式的に表した図である。図１では、見易さのため繰り返しとなる符号は一部省略することがある（以降に示す各図において同じ。）。光学シート１０は、光学機能シート層１１と、基材層としてのＰＥＴフィルム層１６と、粘着剤層１７とを備えて形成されている。上記各層は図１で示した断面を維持して紙面奥／手前方向に延在する。以下に各層について説明する。
【手続補正１８】
【補正対象書類名】明細書
【補正対象項目名】００４５
【補正方法】変更
【補正の内容】
【００４５】
以上説明した各層の特徴に加えて、本発明の製造方法により製造した光学シート１０は層構成に関して次のような特徴を有する。すなわち、光学シート１０においてＰＥＴフィルム層１６の一方の面に粘着剤層１７、他方の面に光学機能シート層１１が配置される。このとき、光学機能シート層１１のプリズム部１２、１２、…の幅広の下底がＰＥＴフィルム層１６側に、幅が狭い上底がＰＥＴフィルム層１６側に対向する側に配置される。そして、これにともなって光吸収部１３の底辺もＰＥＴフィルム層１６側に対向する側（プリズム部１２、１２、…の上底側）に具備される。
【手続補正１９】
【補正対象書類名】明細書
【補正対象項目名】００４６
【補正方法】変更
【補正の内容】
【００４６】
光学シート１０のこのような構成により、光学シート１０を従来に比べて効率よく製造することができる。以下に光学シート１０の製造方法について説明する。図５は光学シート１０の製造工程の一例（製造方法Ｓ１０）を示したフロー図である。また、図６、図７には当該製造方法Ｓ１０の一部を説明する図を示した。図５〜図７を参照しつつ製造方法Ｓ１０について説明する。製造方法Ｓ１０は、図５からわかるようにＰＥＴフィルム層１６となるＰＥＴ基材に粘着剤を塗工する工程Ｓ１１、剥離フィルムを貼り合わせる工程Ｓ１２、巻取り及びエージングをする工程Ｓ１３、ＰＥＴ基材にプリズム部を形成する工程Ｓ１４、光吸収部を形成する工程Ｓ１５、巻取り工程Ｓ１６、及び打ち抜き工程Ｓ１７を備えている。以下、各工程について説明する。以下、説明のし易さのため、上記工程を単に「工程Ｓ１１」のように工程の文字に符号を付した形態で表記することがある。
【手続補正２０】
【補正対象書類名】明細書
【補正対象項目名】００５４
【補正方法】変更
【補正の内容】
【００５４】
このように本発明の光学シートの製造方法Ｓ１０によれば、上記したように、粘着剤層の形成（Ｓａ）と光学機能シート層の形成（Ｓｂ）とを１つの連続した工程でおこなうことができ、製造効率を向上させることができる。また、製造方法Ｓ１０では、従来の製造方法では２枚必要であった剥離フィルムが１枚ですむので製造に使用する材料を減らすことも可能である。
【手続補正２１】
【補正対象書類名】明細書
【補正対象項目名】００５６
【補正方法】変更
【補正の内容】
【００５６】
図８は第二実施形態にかかる光学シート２０の断面で、層構成を模式的に表した図である。光学シート２０は、第一実施形態の光学シート１０の光学機能シート層１１の面のうちＰＥＴフィルム層１６とは反対側の面にもう１枚の光学機能シート層２１が配置されたものである。このとき、プリズム部２２及び光吸収部（図には表れない。）が光学機能シート層１１のプリズム部１２、１２、…及び光吸収部１３、１３、…と直交するように配置される。従って、光学機能シート層２１のプリズム部２２と光吸収部とは紙面奥／手前方向に交互に並列されている。
【手続補正２２】
【補正対象書類名】明細書
【補正対象項目名】００５７
【補正方法】変更
【補正の内容】
【００５７】
ここまで説明した光学シート１０、２０の光吸収部では、バインダー部に光吸収粒子を含有させることにより、光吸収部が光を吸収可能としている。しかし、光吸収部は光吸収可能とされればよく必ずしも上記構成である必要はない。例えば、光吸収部全体に黒又は他の着色された光硬化性の樹脂を充填させてもよい。これによっても本発明の製造方法により製造された光学シートとすることが可能である。この場合には、上記のようにプリズム部を形成した後、光吸収部となる部位に当該樹脂を充填し、紫外線等を照射させることにより光吸収部を形成することができる。
【手続補正２３】
【補正対象書類名】明細書
【補正対象項目名】００５９
【補正方法】変更
【補正の内容】
【００５９】
さらに光学シートには、電磁波を遮断するフィルム層、色調を補正するフィルム層、ネオン線をカットするフィルム層、赤外線をカットするフィルム層、反射を防止するフィルム層、帯電を防止するフィルム層、防眩を目的とするフィルム層等の機能フィルム層が備えられてもよい。
【手続補正２４】
【補正対象書類名】明細書
【補正対象項目名】００６０
【補正方法】変更
【補正の内容】
【００６０】
次に、以上のような光学シート１０が表示装置であるプラズマテレビ１、１’、１’’に取り付けられた時の構成について説明する。図９〜図１１は光学シート１０がＰＤＰ２の映像出射側に配置され、当該ＰＤＰ２及び光学シート１０がプラズマテレビ１、１’、１’’に備えられたときの該ＰＤＰ２及び光学シート１０が配置される部分に注目して示した断面図である。図９〜図１１では紙面右が観察者側である。ここでは、光学シート１０が適用された場合について説明するが、光学シート２０ついても同様である。
【手続補正２５】
【補正対象書類名】明細書
【補正対象項目名】００６１
【補正方法】変更
【補正の内容】
【００６１】
表示装置１はいわゆる直貼り方式のプラズマテレビ１で、図９に示したように、光学シート１０は、映像源であるＰＤＰ２の映像出射面に直接積層される。また光学機能シート層１１の観察者側には、ＡＳ、ＡＲ、ＡＧの機能を有する各種層（３、４、５）が設けられている。ここで、「ＡＳ」とは「アンチスタティック」の略で帯電防止機能を意味する。「ＡＲ」とは「アンチリフレクション」の略で光の反射率を抑える機能をいい、「ＡＧ」は「アンチグレア」の略でプリズム部表面のぎらつきを防止することができる機能である。
【手続補正２６】
【補正対象書類名】明細書
【補正対象項目名】００６４
【補正方法】変更
【補正の内容】
【００６４】
表示装置１’はいわゆるガラスフィルタ方式のプラズマテレビ１’で、図１０に示したように、光学シート１０は、映像源であるＰＤＰ２からＦで示した間隙Ｆを有して配置されたガラス層６の映像出射面に積層される。これによれば、従来のガラスフィルタ方式と異なり光学機能シート層１１がガラス層よりも観察者側に配置されるので、コントラストを重視した層構成とすることができる。また光学機能シート層１１の観察者側には、ＡＳ、ＡＲ、ＡＧの機能を有する各種層（３、４、５）が設けられている。
【手続補正２７】
【補正対象書類名】明細書
【補正対象項目名】００６５
【補正方法】変更
【補正の内容】
【００６５】
表示装置１’’は一部の層を直接ＰＤＰ２に貼付し、他の層をガラス層に貼付する方法により形成されている。具体的には、図１１に示したように、光学シート１０は映像源であるＰＤＰ２に直接積層される。さらに、その観察者側にはＧで示した間隙を有してガラス層３、及びＡＳ、ＡＲ、ＡＧの機能を有する各種層（３、４、５）が配置されている。
【手続補正２８】
【補正対象書類名】明細書
【補正対象項目名】００６６
【補正方法】変更
【補正の内容】
【００６６】
以上説明した表示装置１、１’、１’’は、いずれも本発明の製造方法により製造された光学シート１０を用いることにより、全体として生産性に優れ、安価である表示装置とすることが可能となる。
【手続補正２９】
【補正対象書類名】明細書
【補正対象項目名】００６８
【補正方法】変更
【補正の内容】
【００６８】
本発明の製造方法により製造された光学シートでは、従来における光学シートと比し、光学機能シート層の向きが逆である（例えば図１と図１４との対比）。本発明の製造方法により製造された光学シートにより生産性を向上させることが可能であることは上記した通りである。実施例では、光学シートの性能の観点から本発明の製造方法により製造された光学シートが従来の光学シートに比べてこれを維持することができることを説明する。以下具体的に説明する。
【手続補正３０】
【補正対象書類名】明細書
【補正対象項目名】００７４
【補正方法】変更
【補正の内容】
【００７４】
以下に結果について説明する。図１３は横軸に視野角をとり、縦軸にこのときの相対輝度を示したグラフである。太い実線が実施例、細い破線が従来例である。この図からわかるように本発明の製造方法により製造された光学シートは、ほとんどの視野角において同じ相対輝度を得ることができ、従来の光学シートと同じ性能とすることができた。
【手続補正３１】
【補正対象書類名】明細書
【補正対象項目名】００７９
【補正方法】変更
【補正の内容】
【００７９】
このように、本発明の製造方法により製造された光学シートによれば性能は維持しつつ生産性を向上させることができる。
【手続補正３２】
【補正対象書類名】明細書
【補正対象項目名】００８０
【補正方法】変更
【補正の内容】
【００８０】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う光学シートの製造方法、及び表示装置の製造方法も本発明の技術的範囲に包含されるものとして理解されなければならない。
【手続補正３３】
【補正対象書類名】明細書
【補正対象項目名】００８１
【補正方法】変更
【補正の内容】
【００８１】
【図１】第一実施形態にかかる本発明の製造方法により製造された光学シートの断面を示し、その層構成を模式的に表した図である。
【図２】図１に示した光学シートの一部を拡大して示した図である。
【図３】変形例にかかる光学シートの一部を拡大して示した図である。
【図４】光吸収部が台形である例にかかる光学シートの一部を拡大して示した図である。
【図５】本発明の光学シートの製造方法のフロー図である。
【図６】本発明の光学シートの製造方法を説明するための図である。
【図７】本発明の光学シートの製造方法を説明するための他の図である。
【図８】第二実施形態にかかる光学シートの断面を示し、その層構成を模式的に表した図である。
【図９】本発明の製造方法により製造された光学シートが直貼り方式のプラズマテレビに取り付けられた場面においてＰＤＰ及び光学シート部分の層構成を示した図である。
【図１０】本発明の製造方法により製造された光学シートがガラスフィルタ方式のプラズマテレビに取り付けられた場面においてＰＤＰ及び光学シート部分の層構成を示した図である。
【図１１】本発明の製造方法により製造された光学シートがＰＤＰに直接貼付され、他の層がガラス層に貼付される方式のプラズマテレビに取り付けられた場面においてＰＤＰ及び光学シート部分の層構成を示した図である。
【図１２】全光線透過率及び拡散反射率の測定方法を説明するための図である。
【図１３】実施例の結果の１つである視野角と相対輝度との関係を示した図である。
【図１４】従来の光学シートの断面を示し、その層構成を模式的に表した図である。
【図１５】従来の光学シートの製造方法の一例を示したフロー図である。